(57)【要約】【課題】梳き鋏を交換したり、持ち替えたりすることなく、誰でも容易に短時間でパネル上下方向での梳きの偏りをなくして、梳き跡を完全に隠すことができる梳き鋏を提供することである。【解決手段】一対の鋏部材１ａ、１ｂの刃部３ａ、３ｂの両方に、それぞれ切断刃５と受け刃７とを櫛歯状に交互に配列し、刃部３ａの切断刃５は刃部３ｂの受け刃７と、刃部３ａの受け刃７は刃部３ｂの切断刃５と噛み合うようにすることにより、切断刃５がパネルの上側に当てられてインカットになる部位と、切断刃５がパネルの下側に当てられてアウトカットになる部位とが、パネルの左右方向に交互に生じるようにし、梳き鋏を交換したり、持ち替えたりすることなく、誰でも容易に短時間でパネル上下方向での梳きの偏りをなくして、梳き跡を完全に隠すことができるようにした。【選択図】図１
2005224355.tif 000002
【特許請求の範囲】
【請求項１】
支点で交叉させて枢着した一対の鋏部材の相手方と噛み合わされる刃部の両方に、それぞれ刃先に刃付けをした切断刃と、刃先に刃付けをしない受け刃とを櫛歯状に設け、この両方の各刃部へ櫛歯状に設けた切断刃と受け刃が、切断刃は相手方の鋏部材の受け刃と、受け刃は相手方の鋏部材の切断刃と互いに噛み合うようにした梳き鋏。
【請求項２】
前記各刃部の櫛歯状の切断刃と受け刃を交互に配列した請求項１に記載の梳き鋏。
【請求項３】
前記各刃部の受け刃の刃先高さを、前記切断刃の刃先高さよりも低くした請求項１または２に記載の梳き鋏。
【請求項４】
前記受け刃の刃先を凹状に形成した請求項１乃至３のいずれかに記載の梳き鋏。
【請求項５】
前記各刃部の受け刃の刃先高さに高低差を設けた請求項１乃至４のいずれかに記載の梳き鋏。
【請求項６】
前記各刃部の互いに噛み合う切断刃と受け刃の噛み合い幅に広狭差を設けた請求項１乃至５のいずれかに記載の梳き鋏。
【請求項７】
前記一対の鋏部材のうち、一方の鋏部材の前記刃部の幅を他方の鋏部材よりも狭くした請求項１乃至６のいずれかに記載の梳き鋏。
【発明の詳細な説明】
【技術分野】
【０００１】
本発明は、理美容用の梳き鋏に関するものである。
【背景技術】
【０００２】
一対の鋏部材を支点で交叉させて枢着した理美容用の梳き鋏には、一方の鋏部材の刃部を略直線状の切断刃を設けた棒刃とし、他方の鋏部材の刃部を櫛歯状に受け刃を設けた櫛刃としたものが多く用いられている。このような梳き鋏では、刃付けは切断刃の刃先のみに施され、刃付けされない櫛歯状の受け刃の刃先は、毛髪を捕捉しやすくするために凹状に形成されることが多い。また、この種の梳き鋏では、棒刃の切断刃と櫛刃の受け刃を噛み合わせることにより、各受け刃の刃先の凹部等に捕捉された毛髪のみが切断され、捕捉されずに櫛歯状の受け刃間の隙間に逃げた毛髪は切断されずに残る。したがって、受け刃の刃先の凹部を深くするほど毛髪の梳き量は多くなる。
【０００３】
通常、上述した梳き鋏を用いて毛髪を梳く際には、所定量の毛髪を取り分けて、取り分けた毛束を平たく拡げて手前に引き出し、この平たく拡げた毛束（以下パネルという）の上下から梳き鋏の各鋏部材の刃部を噛み合わせる。このとき、切断刃をパネルの上側に当てる場合は、パネルの下層側の毛髪が受け刃の刃先に捕捉され、上層側の毛髪は受け刃から逃げやすいので、パネルの下層側の毛髪が切断されるインカットとなる。逆に、切断刃をパネルの下側に当てる場合は、パネルの上層側の毛髪が受け刃の刃先に捕捉され、下層側の毛髪は受け刃から逃げやすいので、パネルの上層側の毛髪が切断されるアウトカットとなる。
【０００４】
上記梳き鋏では、櫛歯状の受け刃が規則的に並んでいるので、インカット、アウトカットを問わず、パネルの左右方向で梳き部が規則的に生じ、梳き跡が目立ちやすくなる問題がある。このような梳き跡を隠して自然な仕上がりにするためには、受け刃の凹部を浅くして毛髪の捕捉量を少なくし、１回のカット当たりの梳き量を少なくすればよいが、梳き効率が低下して作業時間が長くなる。梳き効率を低下させないで梳き跡を隠す手段としては、櫛歯状に並べた受け刃の刃先線を凹凸形状とする手段（例えば、特許文献１参照。）や、受け刃の刃先を平刃にしたものと、刃先にＶ字状またはＵ字状の凹部を形成したものとを混在させる手段（例えば、特許文献２参照。）等が提案されている。これらの手段は、いずれも櫛歯状の受け刃によるパネル左右方向での毛髪の捕捉量、すなわちパネル左右方向での梳き量に不規則性を持たせて、梳き跡を隠すものである。
【０００５】
なお、梳き跡を隠す目的のものではないが、切断刃も櫛歯状として、櫛歯状の受け刃から逃げる毛髪が入り込む隙間を拡げ、非切断毛髪を傷付けないようにした梳き鋏も提案されている（例えば、特許文献３参照。）。
【０００６】
【特許文献１】特許公報第２６５２３６１号（第２−３頁、第１図）
【特許文献２】特開平８−７１２６３号公報（第２頁、第１−３図）
【特許文献３】実用新案登録公報第２５８４５８７号（第２頁、第１−２図）
【発明の開示】
【発明が解決しようとする課題】
【０００７】
上述した従来の梳き鋏は、パネル左右方向での梳き量に不規則性を持たせることはできるが、インカットまたはアウトカットによって、パネル上下方向での梳き部が下層側または上層側に偏るので、梳き跡を完全に隠すことができない問題がある。このパネル上下方向での梳き部の偏りをなくすためには、インカットとアウトカットを適当に併用すればよいが、インカットとアウトカットを併用するためには、梳き鋏を交換するか、持ち替える必要があり、作業に手間がかかる問題がある。また、インカットとアウトカットを適当に併用して梳き跡を隠すためには熟練も要する。
【０００８】
そこで、本発明の課題は、梳き鋏を交換したり、持ち替えたりすることなく、誰でも容易に短時間でパネル上下方向での梳きの偏りをなくして、梳き跡を完全に隠すことができる梳き鋏を提供することである。
【課題を解決するための手段】
【０００９】
上記の課題を解決するために、本発明の梳き鋏は、支点で交叉させて枢着した一対の鋏部材の相手方と噛み合わされる刃部の両方に、それぞれ刃先に刃付けをした切断刃と、刃先に刃付けをしない受け刃とを櫛歯状に設け、この両方の各刃部へ櫛歯状に設けた切断刃と受け刃が、切断刃は相手方の鋏部材の受け刃と、受け刃は相手方の鋏部材の切断刃と互いに噛み合うようにした構成を採用した。
【００１０】
すなわち、一対の鋏部材の刃部の両方に、それぞれ切断刃と受け刃とを櫛歯状に設け、これらの櫛歯状に設けた切断刃と受け刃が、切断刃は相手方の鋏部材の受け刃と、受け刃は相手方の鋏部材の切断刃と互いに噛み合うようにすることにより、切断刃がパネルの上側に当てられてインカットになる部位と、切断刃がパネルの下側に当てられてアウトカットになる部位とが同時に生じるようにし、梳き鋏を交換したり、持ち替えたりすることなく、誰でも容易に短時間でパネル上下方向での梳きの偏りをなくすことができるようにした。この梳き鋏は、両方の刃部が櫛歯状とされているので、受け刃から逃げる毛髪が入り込む隙間も広くなり、非切断毛髪を傷付けない効果もある。
【００１１】
前記各刃部の櫛歯状の切断刃と受け刃を交互に配列することにより、パネルの左右方向でインカットとアウトカットを交互に生じさせ、パネルの左右方向でより均一にパネル上下方向での梳きの偏りをなくすことができる。
【００１２】
前記各刃部の受け刃の刃先高さを、前記切断刃の刃先高さよりも低くすることにより、刃付けするために切断刃の刃先を砥石に当てる際に、受け刃が砥石に当らないようにし、その刃先が研がれて凹溝が浅くなるのを防止することができる。
【００１３】
前記受け刃の刃先を凹状に形成することにより、１回のカット当たりの梳き量を多くして、作業時間をより短縮することができる。
【００１４】
前記各刃部の受け刃の刃先高さに高低差を設けることにより、各受け刃によるパネル左右方向での毛髪の捕捉量に不規則性を持たせて、梳き跡をより完全に隠すことができる。
【００１５】
前記各刃部の互いに噛み合う切断刃と受け刃の噛み合い幅に広狭差を設けることによっても、各受け刃によるパネル左右方向での毛髪の捕捉量に不規則性を持たせて、梳き跡をより完全に隠すことができる。
【００１６】
前記一対の鋏部材のうち、一方の鋏部材の前記刃部の幅を他方の鋏部材よりも狭くすることにより、この刃部の幅を狭くした方の鋏部材を、容易にパネルの下側に挿入することができる。この幅を狭くした刃部を、パネルの毛髪のより根元側に当てることもできる。
【発明の効果】
【００１７】
本発明の梳き鋏は、一対の鋏部材の刃部の両方に、それぞれ切断刃と受け刃とを櫛歯状に設け、これらの櫛歯状に設けた切断刃と受け刃が、切断刃は相手方の鋏部材の受け刃と、受け刃は相手方の鋏部材の切断刃と互いに噛み合うようにすることにより、切断刃がパネルの上側に当てられてインカットになる部位と、切断刃がパネルの下側に当てられてアウトカットになる部位とが同時に生じるようにしたので、梳き鋏を交換したり、持ち替えたりすることなく、誰でも容易に短時間でパネル上下方向での梳きの偏りをなくして、梳き跡を完全に隠すことができる。また、この梳き鋏は、両方の刃部が櫛歯状とされているので、受け刃から逃げる毛髪が入り込む隙間も広くなり、非切断毛髪を傷付けない効果もある。
【００１８】
前記各刃部の櫛歯状の切断刃と受け刃を交互に配列することにより、パネルの左右方向でインカットとアウトカットを交互に生じさせ、パネルの左右方向でより均一にパネル上下方向での梳きの偏りをなくすことができる。
【００１９】
前記各刃部の受け刃の刃先高さを、切断刃の刃先高さよりも低くすることにより、刃付けするために切断刃の刃先を砥石に当てる際に、受け刃が砥石に当らないようにし、その刃先が研がれて凹溝が浅くなるのを防止することができる。
【００２０】
前記受け刃の刃先を凹状に形成することにより、１回のカット当たりの梳き量を多くして、作業時間をより短縮することができる。
【００２１】
前記各刃部の受け刃の刃先高さに高低差を設けることにより、各受け刃によるパネル左右方向での毛髪の捕捉量に不規則性を持たせて、梳き跡をより完全に隠すことができる。
【００２２】
前記各刃部の互いに噛み合う切断刃と受け刃の噛み合い幅に広狭差を設けることによっても、各受け刃によるパネル左右方向での毛髪の捕捉量に不規則性を持たせて、梳き跡をより完全に隠すことができる。
【００２３】
前記一対の鋏部材のうち、一方の鋏部材の刃部の幅を他方の鋏部材よりも狭くすることにより、この刃部の幅を狭くした方の鋏部材を、容易にパネルの下側に挿入することができ、この幅を狭くした刃部をパネルの毛髪のより根元側に当てることもできる。
【発明を実施するための最良の形態】
【００２４】
以下、図面に基づき、本発明の実施形態を説明する。この梳き鋏は、図１に示すように、一対の鋏部材１ａ、１ｂを、それぞれの把手部２ａ、２ｂと刃部３ａ、３ｂの間で交叉させた支点４で枢着し、両方の刃部３ａ、３ｂに、刃先に刃付けをした平刃の切断刃５と、刃付けをしない刃先にＶ字状の凹部６を形成した受け刃７とを櫛歯状に交互に配列し、刃部３ａの切断刃５は刃部３ｂの受け刃７と、刃部３ａの受け刃７は刃部３ｂの切断刃５と噛み合わされるようにしたものである。
【００２５】
また、前記各受け刃７の刃先高さは各切断刃５の刃先高さよりも低く形成され、鋏部材１ｂの刃部３ｂの幅は鋏部材１ａの刃部３ａよりも狭く形成されている。したがって、刃付けするために各切断刃５の刃先を砥石に当てる際に、各受け刃７が砥石に当たることがなく、その刃先が研がれて凹部６が浅くなるのを防止することができる。
【００２６】
図２は、上述した梳き鋏を用いて梳き作業をしている状態を示す。この作業者は右利きであり、左手で取り分けた毛髪を平たく拡げたパネルＡを保持し、右手に持った梳き鋏の幅が狭い方の鋏部材１ｂの刃部３ｂをパネルＡの下側に挿入し、幅が広い方の鋏部材１ａの刃部３ａをパネルＡの上側に当てて梳き作業をしている。
【００２７】
図３（ａ）、（ｂ）は、前記パネルＡの毛髪が梳かれる過程を模式的に示す。図３（ａ）は、各刃部３ａ、３ｂがパネルＡの上下に当てられた状態、図３（ｂ）は、これらのパネルＡの上下に当てられた刃部３ａ、３ｂ同士が噛み合わされる直前の状態である。上側の刃部３ａに切断刃５が、下側の刃部３ｂに受け刃７があるパネルＡの部位では、切断刃４と受け刃７に挟持される上層側の毛髪が櫛歯間の隙間に逃げ、下層側の毛髪が受け刃７の凹部６に捕捉されてインカットが生じる。一方、上側の刃部３ａに受け刃７が、下側の刃部３ｂに切断刃５がある部位では、下層側の毛髪が櫛歯間の隙間に逃げ、上層側の毛髪が受け刃７の凹部６に捕捉されてアウトカットが生じる。したがって、この梳き鋏では、パネルＡの左右方向でインカットとアウトカットが交互に生じ、パネルＡの上下方向で梳き部が上層側または下層側に偏ることがない。
【００２８】
図４（ａ）、（ｂ）は、上述した梳き鋏の変形例を示す。図４（ａ）は、前記各刃部３ａ、３ｂの受け刃７の刃先高さに高低差を設けたもの、図４（ｂ）は、各刃部３ａ、３ｂの互いに噛み合う切断刃５と受け刃７の噛み合い幅に広狭差を設けたものである。これらの変形例は、各受け刃７によるパネル左右方向での毛髪の捕捉量、すなわちパネル左右方向での梳き量に不規則性を持たせて、梳き跡をより完全にかくすことができる。なお、各変形例のその他の部分は実施形態のものと同じである。これらの変形例のほかに、各受け刃７の凹部６の深さに差を設けることによっても、パネル左右方向での梳き量に不規則性を持たせることができる。
【００２９】
上述した実施形態では、各刃部の櫛歯状の切断刃と受け刃を交互に配列したが、これらの切断刃と受け刃は任意に配列することができる。また、各受け刃の刃先の凹部をＶ字状としたが、この凹部の形状も任意に設計することができる。さらに、各鋏部材の把手部を含む全体形状も、実施形態のものに限定されることはなく、任意に設計することができる。
【図面の簡単な説明】
【００３０】
【図１】実施形態の梳き鋏を示す正面図
【図２】図１の梳き鋏で梳き作業をする状態を示す斜視図
【図３】ａ、ｂは、それぞれ図２の梳き作業においてパネルの毛髪が梳かれる過程を示す模式図
【図４】ａ、ｂは、それぞれ図１の梳き鋏の変形例を示す一部省略正面図
【符号の説明】
【００３１】
１ａ、１ｂ  鋏部材
２ａ、２ｂ  把手部
３ａ、３ｂ  刃部
４  支点
５  切断刃
６  凹部
７  受け刃
【図１】
2005224355.tif 000003
【図２】
2005224355.tif 000004
【図３】
2005224355.tif 000005
【図４】
2005224355.tif 000006